(57)【要約】【課題】表示を開始したときの位置情報の更新を所定時間、停止する。【解決手段】位置情報取得手段２６０を有した電子端末２００と通信可能に接続される電子時計１００であって、表示操作部５０と、電子端末２００から受信する緯度・経度情報２２５をホームタイムの位置情報２６として格納する記憶部２０と、制御部１０と、を備え、制御部１０は、第１のモードでは、記憶部２０に格納されている位置情報を、電子端末２００から位置情報を受信する度に更新し、第２のモードでは、電子端末２００から位置情報を受信した場合に記憶部２０に格納した位置情報の更新を行わず、第１のモードから第２のモードに切り替えてから所定時間後に第１のモードに切り替える。【選択図】図１
2019219330.tif 000002
【特許請求の範囲】
【請求項１】
位置情報測定手段を有した電子端末と通信可能に接続される電子時計であって、
前記電子端末から受信する位置情報を格納する記憶部と、
制御部と、を備え、
前記制御部は、第１のモードでは、前記記憶部に格納されている前記位置情報を、前記電子端末から前記位置情報を受信する度に更新し、
第２のモードでは、前記電子端末から前記位置情報を受信した場合に前記記憶部に格納した前記位置情報の更新を行わず、
前記第１のモードから前記第２のモードに切り替えてから所定時間後に前記第１のモードに切り替える、
ことを特徴とする電子時計。
【請求項２】
請求項１に記載の電子時計であって、
前記制御部は、前記第２のモードでは、前記電子端末との接続を禁止する、
ことを特徴とする電子時計。
【請求項３】
請求項１または２に記載の電子時計であって、
表示部を更に備え、
前記制御部は、前記位置情報に関連する位置関連情報を前記表示部に表示させてから前記第２のモードに切り替え、所定時間後に前記第１のモードに切り替える、
ことを特徴とする電子時計。
【請求項４】
請求項３に記載の電子時計であって、
前記制御部は、前記位置関連情報を前記表示部に表示させるときに、前記第２のモードに切り替え、前記受信した位置情報を前記記憶部に格納し、前記所定時間の経過後に、前記第１のモードに切り替え、再度受信した位置情報を用いて前記記憶部に格納された前記位置情報を更新する
ことを特徴とする電子時計。
【請求項５】
請求項３又は請求項４に記載の電子時計であって、
前記位置関連情報は、潮汐情報、又は日の出・日の入り時刻である
ことを特徴とする電子時計。
【請求項６】
請求項１から５の何れか一項に記載の電子時計であって、
前記制御部は、時刻合わせ情報として、協定世界時の時刻情報を前記電子端末から受信する
ことを特徴とする電子時計。
【請求項７】
位置情報に関連する位置関連情報を表示する電子時計と通信可能に接続される電子端末であって、
自装置の位置情報を取得する位置情報取得手段と、
制御部と、を備え、
前記制御部は、第１のモードでは、前記電子時計に前記位置情報を定期的に送信し、第２のモードでは、前記電子時計へ前記位置情報の送信を行わず、
前記第１のモードから前記第２のモードに切り替えてから所定時間後に前記第１のモードに切り替える、
ことを特徴とする電子端末。
【請求項８】
請求項７に記載の電子端末であって、
前記制御部は、前記第２のモードでは、前記電子時計の時刻合わせ情報を送信するときに、協定世界時の時刻情報を送信し、前記位置情報の送信を行わない
ことを特徴とする電子端末。
【請求項９】
位置情報を取得する位置情報取得手段を有した電子端末と、前記位置情報に関連する位置関連情報を表示する電子時計とが通信可能に接続される通信システムであって、
前記電子時計の制御部は、第１のモードでは、前記電子端末から送信された前記位置情報を受信する度に記憶部に格納された前記位置情報を更新し、
第２のモードでは、前記電子端末から前記位置情報を受信した場合に前記記憶部に格納した前記位置情報の更新を行わず、
前記第１のモードから前記第２のモードに切り替えてから所定時間後に前記第１のモードに切り替える、
ことを特徴とする通信システム。
【請求項１０】
自装置の位置情報を測定する位置情報測定手段を有し、該位置情報に関連する位置関連情報を表示する電子時計と通信可能に接続される電子端末の制御部に実行させるプログラムであって、
第１のモードでは、前記電子時計に前記位置情報を定期的に送信し、第２のモードでは、前記電子時計へ前記位置情報の送信を行わず、
前記第１のモードから前記第２のモードに切り替えてから所定時間後に前記第１のモードに切り替える、
ことを特徴とするプログラム。
【発明の詳細な説明】
【技術分野】
【０００１】
本発明は、電子時計、電子端末、通信システム及びプログラムに関する。
【背景技術】
【０００２】
近年の電子時計は、日時や世界時計の機能だけでなく、温度や気圧等の各種情報を表示することができるように構成されている。例えば、特許文献１には、満潮や干潮等を示す潮汐波高グラフが表示される電子時計が開示されている。
【先行技術文献】
【特許文献】
【０００３】
【特許文献１】特開２００２−１５６４７５号公報
【発明の概要】
【発明が解決しようとする課題】
【０００４】
ところで、電子時計と近距離無線通信可能な電子端末（例えば、スマートフォン）に地図情報を表示して、目的位置の潮汐表示を電子時計に行わせることが考えられる。例えば、釣りに行く前日に、地図情報を用いて、フィッシングポイントである目的の都市を設定し、該目的の都市の潮汐表示を電子時計に表示させることが考えられる。これにより、前日に、当日の潮汐情報を見ることができ、釣りの参考にすることできる。このフィッシングポイントの潮汐情報は、釣りをして、帰宅するまで表示させておくことが好ましい。
【０００５】
ところで、電子時計と電子端末とは、一日に数回、自動的に通信の確立を行い、電子時計の自動時刻合わせや各種情報の更新を行うように構成されている。このため、前日に、電子端末に地図情報を表示し、電子時計に目的位置の潮汐表示を行わせても、自動時刻合わせを契機として、“現在位置”の潮汐情報に切り替わってしまう問題点がある。このため、表示を開始したときの潮汐情報（位置関連情報）の基となる位置情報の更新を、予め設定された所定時間、停止し、表示を切り替えないようにすることが好ましい。
【０００６】
また、外国まで釣りに行く場合には、釣りに行く前日に、ワールドタイム都市をフィッシングポイントに設定し、設定されたワールドタイム都市における潮汐情報を電子時計で見ることになる。しかしながら、外国に出掛ける前であっても、自動時刻合わせを契機として、ホームタイム都市（日本）の潮汐情報に切り替わってしまう問題点がある。なお、外国に到着したときに、ワールドタイム都市とホームタイム都市とを切り替えることが多い。このため、外国では、ホームタイム都市での位置情報に基づいて、潮汐情報（位置情報に関連する位置関連情報）を電子時計で見ることになる。
【０００７】
本発明は、このような問題を解決するためになされたものであり、電子時計に格納された位置情報の更新を所定時間、停止することができる電子時計、電子端末、通信システム及びプログラムを提供することを目的とする。
【課題を解決するための手段】
【０００８】
位置情報測定手段を有した電子端末と通信可能に接続される電子時計であって、前記電子端末から受信する位置情報（例えば、ホームタイムの位置情報）を格納する記憶部と、制御部と、を備え、前記制御部は、第１のモードでは、前記記憶部に格納されている前記位置情報を、前記電子端末から前記位置情報を受信する度に更新し、第２のモードでは、前記電子端末から前記位置情報を受信した場合に前記記憶部に格納した前記位置情報の更新を行わず、前記第１のモードから前記第２のモードに切り替えてから所定時間後に前記第１のモードに切り替える、ことを特徴とする。
【発明の効果】
【０００９】
本発明によれば、電子時計に格納された位置情報の更新を所定時間、停止することができる。
【図面の簡単な説明】
【００１０】
【図１】第１実施形態における通信システムの構成図である。
【図２】第１実施形態における電子端末の外観図である。
【図３】電子端末で潮汐表示の設定を行うときのフローチャートである。
【図４】電子端末で潮汐表示を逐次更新するときのフローチャートである。
【図５】第１実施形態の通信システムが自動時刻合わせを行うときのフローチャートである。
【図６】潮汐表示画面の一例を示す図である。
【図７】第２実施形態の通信システムが自動時刻合わせを行うときのフローチャートである。
【図８】第３実施形態の通信システムが自動時刻合わせを行うときのフローチャートである。
【発明を実施するための形態】
【００１１】
以下、図面を参照して、本発明の実施の形態（以下、「本実施形態」と称する）につき詳細に説明する。なお、各図は、本実施形態を十分に理解できる程度に、概略的に示してあるに過ぎない。また、各図において、共通する構成要素や同様な構成要素については、同一の符号を付し、それらの重複する説明を省略する。
【００１２】
（第１実施形態）
図１は、第１実施形態における通信システムの構成図であり、図２は、第１実施形態における電子時計の外観図である。
通信システム１ａは、電子時計１００と電子端末２００とがBluetooth（登録商標）等で通信可能に接続されて構成されている。電子時計１００は、例えば、日時を表示操作部５０に表示するものであり、本実施形態では、特に、位置情報に関連する位置関連情報としての潮汐や日の出・日の入り時刻を表示するように構成されている。電子端末２００は、例えば、位置情報を取得するＧＰＳを備えたスマートフォンである。
【００１３】
電子時計１００は、時計側制御部１０と、時計側ＲＡＭ（Random Access Memory）２０と、時計側ＲＯＭ（Read Only Memory）３０と、時計側通信部４０と、表示操作部５０とを備えて構成される。
時計側制御部１０は、ＣＰＵ（Central Processing Unit）であり、プログラム３３を実行することにより、通信制御部１１と、潮汐表示制御部１２と、表示設定部１３との機能を実現する。通信制御部１１は、時計側通信部４０を制御するものであり、特に、電子端末２００に対する接続要求を一日に４回、定期的に行う。そして、通信接続が確立したとき、通信制御部１１は、電子端末２００からワールドタイム都市２２１と、ホームタイム都市２２２と、ローカル時刻情報２２３と、ホーム時刻情報２２４と、ＧＰＳ（Global Positioning System）を用いて検出した位置情報とを受信し、自装置のワールドタイム都市２１と、ホームタイム都市２２と、ローカル時刻情報２３と、ホーム時刻情報２４とを更新する。
【００１４】
潮汐表示制御部１２は、電子端末２００から受信した位置情報とホームタイム都市２２の時刻情報（ホーム時刻情報２４）又はワールドタイム都市の時刻情報（ローカル時刻情報２３）とに基づいて、月の正中時刻（正中時）や日の出／日の入り時刻を演算する。ここで、月の正中時刻（正中時）や日の出／日の入り時刻は、位置情報に関連する位置関連情報である。また、潮汐表示制御部１２は、演算された正中時及び月潮間隔情報３１に基づいた潮汐や日の出・日の入り時刻を表示操作部５０に表示させる。ここで、地球上の界面は、約６時間毎に高くなったり、低くなったりする昇降運動を繰り返している。これを潮汐（タイド）といい、主として月の引力に作用して起こる現象である。理論的には、月が正中したとき満潮になり、その約６時間後に干潮になると言われている。しかしながら、実際の地球上では、海水の粘性や摩擦、海底の地形などの影響によって正中時よりも遅れて満潮になる。時計側ＲＯＭ３０は、月の正中時刻と満潮時刻との時間差を、地域毎に月潮間隔情報３１として格納している。つまり、潮汐情報は、正中時刻や地域によって変わる位置関連情報である。
【００１５】
表示設定部１３は、ホームタイム都市２２の時刻を表示するのか、ワールドタイム都市２１の時刻を表示するのかを設定したりするものであるが、本実施形態では、接続禁止フラグ２７及び接続禁止時間２８の設定を行う。
【００１６】
時計側ＲＡＭ２０は、ワールドタイム都市２１と、ホームタイム都市２２と、ローカル時刻情報２３と、ホーム時刻情報２４と、ＵＴＣ（Coordinated universal time）情報２５と、ホームタイムの位置情報２６と、接続禁止フラグ２７と、接続禁止時間２８と、タイムゾーン情報３４と、ＤＳＴ（Daylight Saving Time）情報３５との格納領域を有する。ホームタイム都市２２は、電波受信を行っている使用中の都市であり、ワールドタイム都市２１は、時刻の確認を行う他の都市である。他国に到着したときは、ホームタイム都市２２とワールドタイム都市２１とを切り替えて使用する。なお、ローカル時刻情報２３は、ワールドタイム都市２１での時刻情報であり、ホーム時刻情報２４は、ホームタイム都市２２での時刻情報である。ＵＴＣ情報２５は、ネットワークから電子端末２００を介して受信した協定世界時である。ホームタイムの位置情報２６は、ＧＰＳを用いて検出した位置情報を電子端末２００から取得したものである。
【００１７】
接続禁止フラグ２７は、電子時計１００と電子端末２００との通信接続を可能にするか禁止するかの設定を行うフラグである。この接続禁止フラグ２７は、ワールドタイム都市２１と、ホームタイム都市２２と、ローカル時刻情報２３と、ホーム時刻情報２４との更新の可否を設定する。接続禁止時間２８は、使用者が潮汐表示の設定を行い、表示操作部５０で潮汐表示が行われてから電子時計１００と電子端末２００との通信接続を禁止する時間である。但し、接続禁止時間２８は、時間経過に伴い、値「０」になるまで減少や更新が行われる変数として機能する。つまり、接続禁止時間２８が値「０」になったときに、電子時計１００と電子端末２００との通信接続が再開される。なお、接続禁止時間２８の初期値は、例えば、２４時間、４８時間、７８時間等であり、使用者が何れかに設定する。なお、接続禁止フラグ２７及び接続禁止時間２８は、後記する実施形態では、使用されないので、破線で示している。
【００１８】
タイムゾーン情報３４は、ワールドタイム都市２１と同一時刻となる地域の地図情報である。ＤＳＴ情報３５は、ワールドタイム都市２１が夏時間の設定が必要か否かの情報を格納する。
【００１９】
時計側ＲＯＭ３０は、月潮間隔情報３１と、プログラム３３とを格納する。月潮間隔情報３１は、潮汐表示制御部１２が演算する月の正中時刻（正中時）と満潮との時間差を港湾毎に対応させたものである。例えば、横浜／新山下の月潮間隔は５時間１８分であり、北海道北岸の月潮間隔は３時間４分であり、新居浜の月潮間隔は１１時間１分であり、那覇の月潮間隔は６時間５０分である。
【００２０】
プログラム３３は、時計側制御部１０が実行するプログラムである。表示操作部５０は、ＬＣＤ（Liquid Crystal Display）及びボタンスイッチであり、図２のように、時分秒表示欄５１と、曜日表示欄５２と、月日表示欄５３と、ムーングラフ表示欄５４と、タイドグラフ表示欄５５との画像を表示する。
【００２１】
電子端末２００は、電子端末側制御部２１０と、電子端末側ＲＡＭ２２０と、電子端末側ＲＯＭ２３０と、電子端末側通信部２４０と、表示操作部２５０と、位置情報取得手段２６０とを備えて構成されている。電子端末側制御部２１０は、ＣＰＵであり、ＯＳ２３２及びアプリケーションプログラム２３３を実行することにより、通信制御部２１１と、時計設定部２１２と、地図表示制御部２１３と、の機能を実現する。
【００２２】
通信制御部２１１は、電子端末側通信部２４０を制御し、電子時計１００とBluetooth（登録商標）で近距離無線通信を行ったり、ネットワークからＵＴＣ情報及び地図情報を取得したりする。本実施形態では、通信制御部２１１は、電子時計１００からの接続要求が一日に４回実行され、このときに、ワールドタイム都市２２１と、ホームタイム都市２２２と、ローカル時刻情報２２３と、ホーム時刻情報２２４と、緯度・経度情報２２５とが電子時計１００に送信される。
【００２３】
時計設定部２１２は、電子時計１００のワールドタイム都市２１とホームタイム都市２２とを電子端末２００側で設定するための設定画面を表示操作部２５０に表示させる。また、時計設定部２１２は、タイムゾーン情報２３４、ＤＳＴ（Daylight Saving Time）情報２３５及びワールドタイム都市２１に基づいて、ローカル時刻情報２２３を設定する。地図表示制御部２１３は、位置情報取得手段２６０を用いて、位置情報を取得し、取得した位置情報をネットワークから取得した地図情報に重畳表示する。
【００２４】
電子端末側ＲＡＭ２２０は、ワールドタイム都市２２１と、ホームタイム都市２２２と、ローカル時刻情報２２３と、ホーム時刻情報２２４と、緯度・経度情報２２５とを格納する領域を備える。なお、破線で示す接続禁止時間２２８及び歩度修正フラグ２２９は、後記する実施形態で説明する。
【００２５】
ワールドタイム都市２２１及びホームタイム都市２２２は、電子端末２００から電子時計１００への転送によって、ワールドタイム都市２１及びホームタイム都市２２を設定するためのものである。ローカル時刻情報２２３は、タイムゾーン情報２３４、ＤＳＴ情報２３５及びワールドタイム都市２１に基づいて、確定される。ホーム時刻情報２２４は、タイムゾーン情報２３４、ＤＳＴ情報２３５及びホームタイム都市２２２に基づいて、確定される。緯度・経度情報２２５は、位置情報取得手段２６０の計測値である。
【００２６】
電子端末側ＲＯＭ２３０は、ＯＳ２３２と、アプリケーションプログラム２３３と、タイムゾーン情報２３４と、ＤＳＴ情報２３５とを格納している。ＯＳ２３２は、電子端末２００を機能させる基本プログラムである。アプリケーションプログラム２３３は、電子時計１００と電子端末２００とを連携させるプログラムである。
【００２７】
表示操作部２５０は、タッチパネル機能を有した液晶パネルである。位置情報取得手段２６０は、ＧＰＳを用いて位置情報（緯度・経度情報２２５）を取得する。
【００２８】
図３は、電子時計で潮汐表示の設定を行うときのフローチャートである。
このルーチンは、使用者が潮汐表示の設定を行うときに、電子時計１００で起動される。例えば、使用者が釣りに行く場合、フィッシングポイント（日本の国内又は他国）に到着してから、潮汐表示の設定を行うこともあるが、ここでは、フィッシングポイントに出掛ける１〜２日前に潮汐表示の設定を行い、潮汐情報を電子時計１００に表示させるものとする。また、電子時計１００は、電子端末２００に対して、周期的（定期的）に（例えば、１日に４回）、接続リクエストを行い、ワールドタイム都市２１、ホームタイム都市２２、ホーム時刻情報２４、ホームタイムの位置情報２６の更新を行っているものとする（第１のモード）。
【００２９】
時計側制御部１０は、ホームタイムの位置情報２６の更新を行う（Ｓ１）。つまり、電子時計１００は、電子端末２００との通信を確立し、電子端末２００から緯度・経度情報２２５を取得する。緯度・経度情報２２５は、原則的に、位置情報取得手段２６０で取得した情報であるが、表示操作部２５０に表示させた地図（図６参照）を用いて決定した情報であっても構わない。なお、電子端末２００が遠距離に置かれ、電子時計１００と電子端末２００との通信が確立しないときは、ホームタイムの位置情報２６の更新が行われない。
【００３０】
Ｓ１の処理後、時計側制御部１０は、電子端末２００との通信接続を禁止する接続禁止フラグ２７を接続禁止に設定し（Ｓ２）、接続禁止時間２８の設定を行う（Ｓ３）。これにより、電子端末２００と電子時計１００との間で行われる通信において、潮汐表示の設定を行ってから接続禁止時間２８だけ、ワールドタイム都市２１、ホームタイム都市２２、ホーム時刻情報２４、ホームタイムの位置情報２６の送受信が行われない。つまり、電子時計１００は、ワールドタイム都市２１、ホームタイム都市２２、ホーム時刻情報２４、ホームタイムの位置情報２６の更新を行わない（第２のモード）。
【００３１】
Ｓ２の処理後、時計側制御部１０は、潮汐表示のルーチン（Ｓ１０，図４）をタイマ割込により逐次実行する。
【００３２】
図４は、電子端末での潮汐表示を逐次更新するときのフローチャートである。
このルーチンは、タイマ割込により逐次実行される。時計側制御部１０は、Ｓ３（図３）で設定された接続禁止時間２８が正の値であるか「０」であるかを判定する（Ｓ１１）。なお、起動時の接続禁止時間２８は、Ｓ３（図３）で設定されており、正の値である。接続禁止時間２８が正であれば（Ｓ１１で「正」）、時計側制御部１０は、ホームタイムの位置情報２６を時計側ＲＡＭ２０から取得する（Ｓ１２）。なお、接続禁止フラグ２７がＯＮ（接続禁止）に設定されているので、ホームタイムの位置情報２６は、電子時計１００がフィッシングポイントに移動しても、更新されない。
【００３３】
Ｓ１２の処理後、時計側制御部１０は、月の正中時刻を演算する（Ｓ１３）。つまり、潮汐表示制御部１２（図１）は、ホームタイムの位置情報２６とホームタイム都市２２の時刻情報（ホーム時刻情報２４）とに基づいて、月の正中時刻（正中時）を演算する。なお、ホームタイムの位置情報２６が更新されなくても、ホームタイム都市２２の時刻情報（ホーム時刻情報２４）は、逐次更新される。Ｓ１３の処理後、時計側制御部１０は、ホームタイムの位置情報２６に対応する月潮間隔情報３１の値を時計側ＲＯＭ３０から取得する（Ｓ１４）。Ｓ１４の処理後、時計側制御部１０は、月の正中時刻（正中時）と月潮間隔情報３１の値に基づいて、潮汐（ＴＩＤＥ）の演算を行う（Ｓ１５）。
【００３４】
Ｓ１５の処理後、時計側制御部１０は、表示操作部５０のタイドグラフ表示欄５５（図２）に潮汐表示を行う（Ｓ１６）。Ｓ１６の処理後、時計側制御部１０は、接続禁止時間２８の更新を行う（Ｓ１７）。つまり、時計側制御部１０は、接続禁止時間２８の設定時（Ｓ３）又は前回の更新時の値から経過した実際の経過時間を減算させて、新たな接続禁止時間２８とする。Ｓ１７の処理後、処理を終了し、次のタイマ割込でこのルーチンが再実行される。また、Ｓ１１の処理で、接続禁止時間２８が値「０」まで減少していたら、処理を終了し、潮汐表示が行われない。
【００３５】
図５は、第１実施形態の通信システムが自動時刻合わせを行うときのフローチャートである。このルーチンは、時計側制御部１０が周期的に（例えば、４回／１日）、自動的に起動する。
時計側制御部１０は、自動接続タイミングか否か判定する（Ｓ２１）。自動接続タイミングでなければ（Ｓ２１でＮｏ）、時計側制御部１０は、自動接続タイミングになるまで待機する。自動接続タイミングになれば（Ｓ２１でＹｅｓ）、時計側制御部１０は、接続禁止フラグ２７の状態を判定する（Ｓ２２）。
【００３６】
接続禁止フラグ２７が「ＯＮ」であれば、時計側制御部１０は、接続禁止フラグ２７の有効期間が経過したか否か判定する（Ｓ２３）。つまり、時計側制御部１０は、Ｓ３（図３）で設定した接続禁止時間２８が経過したか否か判定する。接続禁止フラグ２７の有効期間が経過していなければ（Ｓ２３で「未経過」）、時計側制御部１０は、処理を終了する。一方、接続禁止フラグ２７の有効期間が経過していれば（Ｓ２３で「経過」）、時計側制御部１０は、接続禁止フラグ２７をＯＦＦに設定し（Ｓ２５）、処理を終了する（第２のモードから第１のモードに切り替える）。
【００３７】
一方、接続禁止フラグ２７が「ＯＦＦ」であれば（Ｓ２２で「ＯＦＦ」）、時計側制御部１０は、電子端末２００に対して、接続リクエストを送信する（Ｓ２６）。これにより、電子端末２００は、接続リクエストを受信し（Ｓ２７）、ローカル時刻情報２２３を電子時計１００に返信し（Ｓ２９）、緯度・経度情報２２５を送信し（Ｓ３０）、ホームタイム都市２２２に対応するタイムゾーン情報２３４を送信し（Ｓ３１）、ホームタイム都市２２２に対応するＤＳＴ情報２３５を送信する（Ｓ３２）。これらの送信により、電子時計１００は、ローカル時刻情報２２３を受信し（Ｓ３３）、ローカル時刻情報２３として時計側ＲＡＭ２０に格納する。
【００３８】
また、電子時計１００は、緯度・経度情報２２５を受信し（Ｓ３４）、ホームタイムの位置情報２６として時計側ＲＡＭ２０に格納する。また、電子時計１００は、ホームタイム都市２２２に対応するタイムゾーン情報２３４を受信し（Ｓ３５）、タイムゾーン情報３４として時計側ＲＡＭ２０に格納する。また、電子時計１００は、ホームタイム都市２２２に対応するＤＳＴ情報２３５を受信し（Ｓ３６）、ＤＳＴ情報３５として時計側ＲＡＭ２０に格納する。これにより、電子時計１００は、処理を終了する。また、電子端末２００は、Ｓ２９〜Ｓ３２の送信の後、表示操作部２５０に潮汐表示（図６）を行う。
【００３９】
図６は、潮汐表示画面の一例を示す図である。
潮汐表示画面３００は、地図画像３１０と、国名領域３２１と、緯度・経度領域３２２と、文字列「満潮時刻」３２３と、時刻表示領域３２４と、サマータイム情報領域３２５と、タップ領域３２６とを備える。
【００４０】
地図画像３１０は、例えば、フィッシングポイント３１１として、横浜の海岸を表示している。なお、前記したように、横浜／新山下の月潮間隔は５時間１８分である。国名領域３２１には、例えば、「Ｊａｐａｎ」が表示され、緯度・経度領域３２２には、文字列「Ｎ３５°２８’６０．０’’  Ｅ１３９°４１’６０．０’’」が表示される。時刻表示領域３２４は、例えば、「満潮時刻」３２３として「２２：０８」が表示され、サマータイム情報領域３２５には、サマータイム（ＤＳＴ）の適用の有無が表示される。なお、日本では、サマータイムの適用は無い。タップ領域３２６は、この領域がタップされると、電子端末２００は、緯度・経度情報２２５、ホームタイム都市２２２に対応するタイムゾーン情報２３４、ホームタイム都市２２２に対応するＤＳＴ情報２３５、ＤＳＴ情報３５を電子時計１００に送信する。
【００４１】
以上説明したように、電子時計１００の使用者は、潮汐表示等の位置関連情報を表示しようとするときに、接続禁止時間２２８や位置情報等の設定を含む表示設定を行う。電子時計１００は、自動接続タイミングが到来した場合、設定された接続禁止時間２２８であるときには、位置情報（緯度・経度情報２２５）の受信や、ホームタイムの位置情報２６の更新を行わない。また、電子時計１００は、接続禁止時間２２８が経過したときに、位置情報（緯度・経度情報２２５）の受信や、ホームタイムの位置情報２６の更新を行う。
【００４２】
例えば、使用者がフィッシングポイントに出掛ける前に、現地での潮汐情報を知りたいことがある。このとき、使用者は、電子時計１００で接続禁止時間２２８や現地の位置情報等の表示設定を行う。そして、使用者がフィッシングポイントに到着したときでも、表示設定を行ってから接続禁止時間２２８の値の範囲内であれば、電子時計１００は、位置情報（緯度・経度情報２２５）の受信やホームタイムの位置情報２６の更新を行わない。したがって、使用者がフィッシングポイントに出掛ける前に設定した位置情報の潮汐情報が表示操作部５０に表示され続ける。そして、接続禁止時間２２８が経過した後、電子時計１００は、位置情報（緯度・経度情報２２５）の受信やホームタイムの位置情報２６の更新を行い、更新されたホームタイムの位置情報２６に基づいた潮汐情報を表示操作部５０に表示する。
【００４３】
（第２実施形態）
前記第１実施形態の電子時計１００は、接続禁止フラグ２７が「ＯＮ」であって（Ｓ２２（図５））、その有効期間が経過していなければ（Ｓ２３で「未経過」）、接続リクエストを電子端末２００に対して送信しなかったが、接続リクエストを送信し、ＵＴＣ時刻情報を受信し、他の情報を受信しないことにより、歩度の修正のみを行うように構成することができる。
【００４４】
図７は、第２実施形態の通信システムが自動時刻合わせを行うときのフローチャートである。
通信システム１ｂ（図１）の構成は、前記第１実施形態の通信システム１ａと同様であるが、歩度修正を行うか否かを判定する歩度修正フラグ２２９が電子端末側ＲＡＭ２２０に格納されている点で相違する。また、図７のフローチャートは、Ｓ２１〜Ｓ２３，Ｓ２９〜Ｓ３６までの処理が前記第１実施形態の処理（図５）と同一である。
【００４５】
Ｓ２３で接続禁止フラグ２７の有効期間が経過したとき（Ｓ２３で「経過」）、時計側制御部１０は、電子端末２００に接続リクエストを送信する（Ｓ２４）。これにより、電子端末側制御部２１０は、接続リクエストを受信し（Ｓ２７）、歩度修正フラグ２２９を確認し、歩度修正を行うか否かの判定を行う（Ｓ２８）。つまり、電子端末側制御部２１０は、歩度のみの修正を行うか、ホームタイムの位置情報２６の更新を行うかを決定する。ホームタイムの位置情報２６の更新を行うと判定したとき（Ｓ２８で「位置情報更新」）、電子端末側制御部２１０は、ローカル時刻情報２２３等の送信（Ｓ２９〜Ｓ３２）を行う。
【００４６】
これにより、時計側制御部１０は、ローカル時刻情報２２３等を受信し（Ｓ３３〜Ｓ３６）、受信した情報を時計側ＲＡＭ２０に格納する。
一方、歩度のみの修正を行うと判定したとき（Ｓ２８で「歩度修正」）、電子端末２００は、電子端末側通信部２４０を介してＵＴＣ時刻情報をネットワークから受信し、受信したＵＴＣ時刻情報を電子時計１００に送信する（Ｓ３７）。これにより、電子時計１００は、ＵＴＣ時刻情報を受信する（Ｓ３８）。
【００４７】
（第３実施形態）
前記第１，２実施形態の通信システム１ａは、電子時計１００側に接続禁止フラグを設け、電子端末２００との接続を設定期間禁止していたが、電子端末２００側で接続禁止時間を設定することにより、電子端末２００が接続リクエストの受信を拒否するように構成することもできる。
【００４８】
図８は、第３実施形態の通信システムが自動時刻合わせを行うときのフローチャートである。第３実施形態の通信システム１ｃ（図１）の構成は、第１実施形態の通信システム１ａの電子時計１００から接続禁止フラグ２７及び接続禁止時間２８を除去し、電子端末２００の電子端末側ＲＡＭ２２０に接続禁止時間２２８の領域を設けたものである。
【００４９】
電子端末側制御部２１０は、表示操作部２５０を使って、接続禁止時間２２８の設定を行う（Ｓ４１）。Ｓ４１の処理後、電子端末側制御部２１０は、接続禁止時間が経過しているか否か判定する（Ｓ４２）。接続禁止時間２２８が経過していなければ（Ｓ４１で「未経過」）、電子端末側制御部２１０は、電子端末側通信部２４０に対して、接続リクエスト受信拒否の設定を行う（Ｓ４３）。Ｓ４３の処理後、電子端末側制御部２１０は、処理をＳ４２に戻し、接続禁止時間２２８が経過するまで、処理を繰り返す。
【００５０】
時計側制御部１０は、４回／１日の自動接続タイミングか否かを判定する（Ｓ４４）。自動接続タイミングでなければ（Ｓ４４でＮｏ）、時計側制御部１０は、Ｓ４４の判定を繰り返し、待機する。自動接続タイミングになったら（Ｓ４４でＹｅｓ）、時計側制御部１０は、電子端末２００に対して、接続リクエストを送信する（Ｓ４５）。Ｓ４５の処理後、時計側制御部１０は、接続リクエストに対する応答の有無を判定する（Ｓ４６）。電子端末２００は接続リクエストの受信拒否を行っているので（Ｓ４３）、接続リクエストに対する応答が無く（Ｓ４６で「無し」）、時計側制御部１０は、処理を終了する。
【００５１】
一方、接続禁止時間２２８が経過していれば（Ｓ４２で「経過」）、電子端末側制御部２１０は、電子時計１００からの接続リクエストを受信し（Ｓ４７）、応答を返信する。また、電子端末側制御部２１０は、ローカル時刻情報２２３を電子時計１００に送信し（Ｓ４８）、緯度・経度情報２２５を送信し（Ｓ４９）、ホームタイム都市２２２に対応するタイムゾーン情報２３４を送信し（Ｓ５０）、ホームタイム都市２２２に対応するＤＳＴ情報２３５を送信し（Ｓ５１）、処理を終了する。
【００５２】
これにより、電子時計１００は、ローカル時刻情報２２３を受信し（Ｓ５２）、ローカル時刻情報２３として時計側ＲＡＭ２０に格納する。また、電子時計１００は、緯度・経度情報２２５を受信し（Ｓ５３）、ホームタイムの位置情報２６として時計側ＲＡＭ２０に格納する。また、電子時計１００は、ホームタイム都市２２２に対応するタイムゾーン情報２３４を受信し（Ｓ５４）、タイムゾーン情報３４として時計側ＲＡＭ２０に格納する。また、電子時計１００は、ホームタイム都市２２２に対応するＤＳＴ情報２３５を受信し（Ｓ５５）、ＤＳＴ情報３５として時計側ＲＡＭ２０に格納する。これにより、時計側制御部１０は、処理を終了する。
【００５３】
以上説明したように、電子端末２００は、接続禁止時間２２８で設定された時間、接続リクエストの受信を拒否する。このため、電子端末２００は、位置情報（緯度・経度情報２２５）を電子時計１００まで送信することができない。したがって、電子時計１００は、自動接続タイミングが到来しても、接続禁止時間２２８の間、表示操作部５０が表示した位置関連情報（潮汐情報）を更新しない。
【００５４】
〔付記〕
＜請求項１＞
位置情報測定手段を有した電子端末と通信可能に接続される電子時計であって、
前記電子端末から受信する位置情報を格納する記憶部と、
制御部と、を備え、
前記制御部は、第１のモードでは、前記記憶部に格納されている前記位置情報を、前記電子端末から前記位置情報を受信する度に更新し、
第２のモードでは、前記電子端末から前記位置情報を受信した場合に前記記憶部に格納した前記位置情報の更新を行わず、
前記第１のモードから前記第２のモードに切り替えてから所定時間後に前記第１のモードに切り替える、
ことを特徴とする電子時計。
＜請求項２＞
請求項１に記載の電子時計であって、
前記制御部は、前記第２のモードでは、前記電子端末との接続を禁止する、
ことを特徴とする電子時計。
＜請求項３＞
請求項１または２に記載の電子時計であって、
表示部を更に備え、
前記制御部は、前記位置情報に関連する位置関連情報を前記表示部に表示させてから前記第２のモードに切り替え、所定時間後に前記第１のモードに切り替える、
ことを特徴とする電子時計。
＜請求項４＞
請求項３に記載の電子時計であって、
前記制御部は、前記位置関連情報を前記表示部に表示させるときに、前記第２のモードに切り替え、前記受信した位置情報を前記記憶部に格納し、前記所定時間の経過後に、前記第１のモードに切り替え、再度受信した位置情報を用いて前記記憶部に格納された前記位置情報を更新する
ことを特徴とする電子時計。
＜請求項５＞
請求項３又は請求項４に記載の電子時計であって、
前記位置関連情報は、潮汐情報、又は日の出・日の入り時刻である
ことを特徴とする電子時計。
＜請求項６＞
請求項１から５の何れか一項に記載の電子時計であって、
前記制御部は、時刻合わせ情報として、協定世界時の時刻情報を前記電子端末から受信する
ことを特徴とする電子時計。
＜請求項７＞
位置情報に関連する位置関連情報を表示する電子時計と通信可能に接続される電子端末であって、
自装置の位置情報を取得する位置情報取得手段と、
制御部と、を備え、
前記制御部は、第１のモードでは、前記電子時計に前記位置情報を定期的に送信し、第２のモードでは、前記電子時計へ前記位置情報の送信を行わず、
前記第１のモードから前記第２のモードに切り替えてから所定時間後に前記第１のモードに切り替える、
ことを特徴とする電子端末。
＜請求項８＞
請求項７に記載の電子端末であって、
前記制御部は、前記第２のモードでは、前記電子時計の時刻合わせ情報を送信するときに、協定世界時の時刻情報を送信し、前記位置情報の送信を行わない
ことを特徴とする電子端末。
＜請求項９＞
位置情報を取得する位置情報取得手段を有した電子端末と、前記位置情報に関連する位置関連情報を表示する電子時計とが通信可能に接続される通信システムであって、
前記電子時計の制御部は、第１のモードでは、前記電子端末から送信された前記位置情報を受信する度に記憶部に格納された前記位置情報を更新し、
第２のモードでは、前記電子端末から前記位置情報を受信した場合に前記記憶部に格納した前記位置情報の更新を行わず、
前記第１のモードから前記第２のモードに切り替えてから所定時間後に前記第１のモードに切り替える、
ことを特徴とする通信システム。
＜請求項１０＞
自装置の位置情報を測定する位置情報測定手段を有し、該位置情報に関連する位置関連情報を表示する電子時計と通信可能に接続される電子端末の制御部に実行させるプログラムであって、
第１のモードでは、前記電子時計に前記位置情報を定期的に送信し、第２のモードでは、前記電子時計へ前記位置情報の送信を行わず、
前記第１のモードから前記第２のモードに切り替えてから所定時間後に前記第１のモードに切り替える、
ことを特徴とするプログラム。
【符号の説明】
【００５５】
１ａ，１ｂ，１ｃ  通信システム
１０  時計側制御部（制御部）
２５  ＵＴＣ情報
２６  ホームタイムの位置情報
２７  接続禁止フラグ
２８  接続禁止時間
３３  プログラム
５０，２５０  表示操作部
５５  タイドグラフ表示欄
１００  電子時計
２００  電子端末
２１０  電子端末側制御部
２２５  緯度・経度情報
２２８  接続禁止時間
２２９  歩度修正フラグ
２３３  アプリケーションプログラム
２６０  位置情報取得手段
３００  潮汐表示画面
３１０  地図画像
３１１  フィッシングポイント
３２２  緯度・経度領域
【図１】
2019219330.tif 000003
【図２】
2019219330.tif 000004
【図３】
2019219330.tif 000005
【図４】
2019219330.tif 000006
【図５】
2019219330.tif 000007
【図６】
2019219330.tif 000008
【図７】
2019219330.tif 000009
【図８】
2019219330.tif 000010